(57)【特許請求の範囲】
【請求項１】
変調信号を受信して前記変調信号に同調した発信信号を出力するスピン素子；
前記スピン素子に所定の位相同調特性を付与し、前記発振信号が前記スピン素子に入力される変調信号に同調するようにする位相制御部；及び
前記スピン素子から出力される前記変調信号に同調した発振信号を復調し、前記発振信号が持つ情報を復元する検波器；を含み、
前記位相制御部は、
前記スピン素子に所定の電流を印加して前記スピン素子に位相同調特性を付与する電流発生部を含み、
前記スピン素子は、
周波数がｆ０である変調信号を受信する場合、前記スピン素子は前記変調信号を２次ハーモニック信号と認識し、周波数がｆ０／２である位相同調信号を出力することを特徴とする、復調装置。
【請求項２】
前記位相制御部は、
前記スピン素子に所定の磁場を印加して前記電流発生部とともに前記スピン素子に位相同調特性を付与する磁場発生部をさらに含むことを特徴とする、請求項１に記載の復調装置。
【請求項３】
前記磁場発生部から印加された磁場を感知する磁場感知部をさらに含むことを特徴とする、請求項２に記載の復調装置。
【請求項４】
前記スピン素子の温度を感知し、感知温度による特性変化を補正する温度補償部をさらに含むことを特徴とする、請求項１に記載の復調装置。
【請求項５】
前記変調信号はアンテナから受信され、
前記アンテナと前記スピン素子との間に設置されて前記変調信号を増幅させる第１増幅器；及び
前記スピン素子の後端に設置されて前記発振信号を増幅させる第２増幅器をさらに含むことを特徴とする、請求項１〜４のいずれか一項に記載の復調装置。
【請求項６】
変調信号を受信して前記変調信号に同調した発信信号を出力するスピン素子；
前記スピン素子に所定の位相同調特性を付与し、前記発振信号が前記スピン素子に入力される変調信号に同調するようにする位相制御部；及び
前記スピン素子から出力される前記変調信号に同調した発振信号を復調し、前記発振信号が持つ情報を復元する検波器；を含み、
前記スピン素子は入力される変調信号の中で特定の周波数と同調した位相同調信号をそれぞれ出力する複数のスピン素子を含み、
前記位相制御部は、複数の前記スピン素子のそれぞれに対応する複数の位相制御部を含み、
前記位相制御部のそれぞれは複数の前記スピン素子のそれぞれから出力される発振信号が複数の前記スピン素子のそれぞれに入力される変調信号に同調するようにし、
前記複数の位相制御部のそれぞれは、
対応する前記スピン素子に所定の電流を印加して前記スピン素子に位相同調特性を付与する電流発生部；及び
前記スピン素子に所定の磁場を印加して前記電流発生部とともに前記スピン素子に位相同調特性を付与する磁場発生部を含み、
前記スピン素子は、
周波数がｆ０である変調信号を受信する場合、前記スピン素子は前記変調信号を２次ハーモニック信号と認識し、周波数がｆ０／２である位相同調信号を出力することを特徴とする、復調装置。
【請求項７】
前記検波器は、複数の前記スピン素子のそれぞれに対応する複数の検波器を含み、
前記検波器のそれぞれは複数の前記スピン素子のそれぞれから出力される位相同調信号を復調し、前記位相同調信号が持つ情報を復元することを特徴とする、請求項６に記載の復調装置。
【請求項８】
前記変調信号のそれぞれはアンテナから受信され、
前記アンテナと複数の前記スピン素子のそれぞれとの間に設置され、前記変調信号のそれぞれを増幅させる複数の第１増幅器；及び
複数の前記スピン素子のそれぞれの後端に設置され、前記位相同調信号のそれぞれを増幅させる複数の第２増幅器をさらに含むことを特徴とする、請求項７に記載の復調装置。
【請求項９】
前記磁場発生部のそれぞれから印加された磁場を感知する複数の磁場感知部；及び
複数の前記スピン素子の温度を感知し、感知温度による特性変化を補正する温度補償部をさらに含むことを特徴とする、請求項６〜８のいずれか一項に記載の復調装置。
【請求項１０】
基板；
前記基板上に備えられる電極から電源を受けて駆動し、変調信号を受信して前記変調信号に同調した発信信号を出力する複数のスピン素子；
前記スピン素子のそれぞれに所定の位相同調特性を付与し、前記発振信号が前記スピン素子に入力される変調信号に同調するようにする位相制御部；及び
前記スピン素子のそれぞれから出力される前記変調信号に同調した発振信号を復調して前記発振信号が持つ情報を復元する検波器；を含み、
前記位相制御部は、
前記電極と複数の前記スピン素子との間に設置され、前記スピン素子のそれぞれに所定の位相同調特性を付与する電流を発生させて分配する電流発生部；及び
前記スピン素子上にそれぞれ設置され、前記スピン素子に所定の磁場を印加して前記スピン素子に位相同調特性を付与する複数の磁場発生部を含み、
前記スピン素子は、
周波数がｆ０である変調信号を受信する場合、前記スピン素子は前記変調信号を２次ハーモニック信号と認識し、周波数がｆ０／２である位相同調信号を出力することを特徴とする、復調集積素子。
【請求項１１】
前記電極と複数の前記磁場発生部との間に設置され、前記磁場発生部のそれぞれから磁場を発生させるように電流を分配して供給する電流分配部；及び
前記スピン素子のそれぞれの温度を感知し、感知温度による特性変化を補正する温度補償部をさらに含むことを特徴とする、請求項１０に記載の復調集積素子。
【請求項１２】
基板；
前記基板上に備えられ、変調信号を送信する変調部；及び
前記基板上に備えられ、前記変調信号を受信する復調部；を含み、
前記復調部は、
変調信号を受信して前記変調信号に同調した発信信号を出力する複数のスピン素子；
前記スピン素子のそれぞれに所定の位相同調特性を付与し、前記発振信号が前記スピン素子に入力される変調信号に同調するようにする位相制御部；及び
前記スピン素子のそれぞれから出力される前記変調信号に同調した発振信号を復調して前記発振信号が持つ情報を復元する検波器；を含み、
前記変調部及び前記復調部に電源を分配する電源分配部をさらに含み、
前記スピン素子は、
周波数がｆ０である変調信号を受信する場合、前記スピン素子は前記変調信号を２次ハーモニック信号と認識し、周波数がｆ０／２である位相同調信号を出力することを特徴とする、変復調集積素子。
【請求項１３】
前記電源分配部の出力チャネルを制御し、前記変調部及び前記復調部の中で少なくとも一方の電源をオン／オフ（Ｏｎ／Ｏｆｆ）させる電源制御部をさらに含むことを特徴とする、請求項１２に記載の変復調集積素子。
【請求項１４】
前記変調部及び前記復調部の中で少なくとも一方に備えられ、周辺環境によって前記復調部に流れる電気信号の特性が変化することを防止する遮蔽膜；及び
前記スピン素子のそれぞれの温度を感知し、感知温度による特性変化を補正する温度補償部をさらに含むことを特徴とする、請求項１２に記載の変復調集積素子。
【発明の詳細な説明】
【技術分野】
【０００１】
本発明は復調装置、これを用いた復調集積素子及び変復調集積素子に係り、より詳しくはスピン素子の位相同調特性を用いて多様な変調信号を復調することができる復調装置、これを用いた復調集積素子及び変復調集積素子に関するものである。
【背景技術】
【０００２】
従来の通信システムにおいては、振幅変調または周波数変調された無線信号を復調するとき、電子回路が使用される。
【０００３】
例えば、大韓民国特許出願第１０−１９９９−０００７４０４号に紹介されたマルチモード無線伝送システムは、各通信方式で共通に使うことができる機能は共通変復調機能として共有し、各通信方式で他の機能は他の変復調機能として通信方式ごとに別に提供する電子回路を構成してマルチモードの無線通信を行うことができる。
【０００４】
また、大韓民国特許出願第１０−２００６−７０００２６６号に紹介された無線通信システム及びそのシステムにおける使用のための無線デジタル受信機は、基地局では信号を低周波信号にダウン変換し信号をオーバーサンプリングした後、無線信号を復調する電子回路を構成し、移動局では信号を低周波信号にダウン変換し信号をアンダーサンプリングした後、無線信号を復調する電子回路を構成することで、互いに異なる復調デジタル回路を用いて無線通信することができる。
【０００５】
図１は従来の電子回路ＡＳＫ無線受信機の構成図である。
【０００６】
図１を参照すれば、従来の電子回路基盤の直接変換方式の無線通信機器はＶＣＯ ４０、ＰＬＬ周波数固定回路５０、ＲＦスイッチ１０、ミキサー２０及び帯域フィルター３０を含む。よって、製品のサイズが大きく、電力消耗が高い問題点があり、かつ部品が高価で、フィルターの追加使用によって得られる狭帯域動作の低速通信方式であり、高速通信に制限がある問題点がある。
【発明の概要】
【発明が解決しようとする課題】
【０００７】
本発明は前述したような問題を解決するためになされたもので、スピン素子の位相同調特性を用いて振幅位相変調（ａｍｐｌｉｔｕｄｅ ｓｈｉｆｔ ｋｅｙｉｎｇ、ＡＳＫ）、周波数位相変調（ｆｒｅｑｕｅｎｃｙ ｓｈｉｆｔ ｋｅｙｉｎｇ、ＦＳＫ）の多様な変調信号を復調することができ、基本波の振幅を監視して高調波の流入有無を判別して検波することが可能な復調装置、これを用いた復調集積素子及び変復調集積素子を提供することにその目的がある。
【課題を解決するための手段】
【０００８】
前記のような目的を達成するために、本発明による復調装置は、変調信号を受信して復調信号を出力するスピン素子；前記スピン素子に所定の位相同調特性を付与し、前記発振信号が前記スピン素子に入力される変調信号に同調するようにする位相制御部；及び前記スピン素子から出力される前記変調信号に同調した発振信号を復調し、前記発振信号が持つ情報を復元する検波器；を含む。
【０００９】
また、前記位相制御部は、前記スピン素子に所定の電流を印加して前記スピン素子に位相同調特性を付与する電流発生部を含む。
【００１０】
また、前記位相制御部は、前記スピン素子に所定の磁場を印加して前記電流発生部とともに前記スピン素子に位相同調特性を付与する磁場発生部をさらに含む。
【００１１】
また、前記磁場発生部から印加された磁場を感知する磁場感知部をさらに含む。
【００１２】
また、前記スピン素子の温度を感知し、感知温度による特性変化を補正する温度補償部をさらに含む。
【００１３】
また、前記変調信号はアンテナから受信され、前記アンテナと前記スピン素子との間に設置されて前記変調信号を増幅させる第１増幅器をさらに含む。
【００１４】
また、前記スピン素子の後端に設置されて前記発振信号を増幅させる第２増幅器をさらに含む。
【００１５】
また、周波数がｆ０である変調信号を受信する場合、前記スピン素子は前記変調信号を２次ハーモニック信号と認識し、周波数がｆ０／２である位相同調信号を出力する。
【００１６】
また、前記スピン素子は、入力される変調信号の中で特定の周波数と同調した位相同調信号をそれぞれ出力する複数のスピン素子を含み、前記位相制御部は、複数の前記スピン素子のそれぞれに対応する複数の位相制御部を含み、前記位相制御部のそれぞれは複数の前記スピン素子のそれぞれから出力される発振信号が複数の前記スピン素子のそれぞれに入力される変調信号に同調するようにする。
【００１７】
また、前記検波器は、複数の前記スピン素子のそれぞれに対応する複数の検波器を含み、前記検波器のそれぞれは複数の前記スピン素子のそれぞれから出力される位相同調信号を復調し、前記位相同調信号が持つ情報を復元する。
【００１８】
また、前記変調信号のそれぞれはアンテナから受信され、前記アンテナと複数の前記スピン素子のそれぞれとの間に設置され、前記変調信号のそれぞれを増幅させる複数の第１増幅器；及び複数の前記スピン素子のそれぞれの後端に設置され、前記位相同調信号のそれぞれを増幅させる複数の第２増幅器をさらに含む。
【００１９】
また、前記複数の位相制御部のそれぞれは、対応するスピン素子に所定の電流を印加して前記スピン素子に位相同調特性を付与する電流発生部；及び前記スピン素子に所定の磁場を印加して前記電流発生部とともに前記スピン素子に位相同調特性を付与する磁気発生部を含む。
【００２０】
また、前記磁場発生部のそれぞれから印加された磁場を感知する複数の磁場感知部；及び複数の前記スピン素子の温度を感知し、感知温度による特性変化を補正する温度補償部をさらに含む。
【００２１】
また、本発明による復調集積素子は、基板；前記基板上に備えられる電極から電源を受けて駆動し、変調信号を受信して復調信号を出力する複数のスピン素子；前記スピン素子のそれぞれに所定の位相同調特性を付与し、前記発振信号が前記スピン素子に入力される変調信号に同調するようにする位相制御部；及び前記スピン素子のそれぞれから出力される前記変調信号に同調した発振信号を復調して前記発振信号が持つ情報を復元する検波器；を含む。
【００２２】
また、前記位相制御部は、前記電極と複数の前記スピン素子との間に設置され、前記スピン素子のそれぞれに所定の位相同調特性を付与する電流を発生させて分配する電流発生部を含む。
【００２３】
また、前記位相制御部は、前記スピン素子上にそれぞれ設置され、前記スピン素子に所定の磁場を印加して前記スピン素子に位相同調特性を付与する複数の磁場発生部をさらに含む。
【００２４】
また、電極と複数の前記磁場発生部との間に設置され、前記磁場発生部のそれぞれから磁場を発生させるように電流を分配して供給する電流分配部をさらに含む。
【００２５】
また、前記スピン素子のそれぞれの温度を感知し、感知温度による特性変化を補正する温度補償部をさらに含む。
【００２６】
また、本発明による変復調集積素子は、基板；前記基板上に備えられ、変調信号を送信する変調部；及び前記基板上に備えられ、前記変調信号を受信する復調部；を含み、前記復調部は、変調信号を受信して復調信号を出力する複数のスピン素子；前記スピン素子のそれぞれに所定の位相同調特性を付与し、前記発振信号が前記スピン素子に入力される変調信号に同調するようにする位相制御部；及び前記スピン素子のそれぞれから出力される前記変調信号に同調した発振信号を復調して前記発振信号が持つ情報を復元する検波器；を含む。
【００２７】
また、前記変調部及び前記復調部に電源を分配する電源分配部をさらに含む。
【００２８】
また、前記電源分配部の出力チャネルを制御し、前記変調部及び前記復調部の中で少なくとも一方の電源をオン／オフ（Ｏｎ／Ｏｆｆ）させる電源制御部をさらに含む。
【００２９】
また、前記変調部及び前記復調部の中で少なくとも一方に備えられ、周辺環境によって前記復調部に流れる電気信号の特性が変化することを防止する遮蔽膜をさらに含む。
【００３０】
また、前記スピン素子のそれぞれの温度を感知し、感知温度による特性変化を補正する温度補償部をさらに含む。
【発明の効果】
【００３１】
本発明による復調装置は、スピン素子（ＳＴＯ）の位相同調特性を用いて変調信号を復調することができる。すなわち、一つのＳＴＯを用いて振幅位相変調信号を復調し、あるいは基本周波数が互いに異なる複数のＳＴＯを用いて周波数位相変調信号を復調することができる効果がある。
【００３２】
また、本発明によれば、ＰＬＬ回路なしでも所要周波数に固定されることができ、ＲＦスイッチ、ミキサー及び帯域フィルターなしでも受信機能を代わることができ、ＳＴＯの早い安定時間を持つ動作特性によって高速通信が可能な効果がある。
【００３３】
また、本発明によれば、低電力動作が可能でありながらもナノサイズへの集積が容易なＳＴＯを用いて低価の低電力復調装置及びマイクロＩＣを具現することができる効果がある。
【００３４】
さらに、本発明によれば、基本波の振幅を監視して高調波の流入有無を判別して検波することが可能な効果がある。
【図面の簡単な説明】
【００３５】
【図１】従来の電子回路ＡＳＫ無線受信機の構成図である。
【図２】本発明の第１実施例による復調装置の第１構成図である。
【図３】本発明の第１実施例による復調装置の第２構成図である。
【図４】本発明の第１実施例による復調装置の第３構成図である。
【図５】本発明の第１実施例による復調装置の第４構成図である。
【図６】本発明の第１実施例による復調装置の第５構成図である。
【図７】本発明の第１実施例による復調装置の第６構成図である。
【図８】本発明の第１実施例による復調装置の第７構成図である。
【図９】本発明の第２実施例による復調装置の第１構成図である。
【図１０】本発明の第２実施例による復調装置の第２構成図である。
【図１１】本発明の第２実施例による復調装置の第３構成図である。
【図１２】本発明の実施例による復調集積素子を示した構成図である。
【図１３】本発明の実施例による復調集積素子の概略斜視図である。
【図１４】図１３のＡＡ’／／ＢＢ’／／ＣＣ’／／ＤＤ’の部分拡大図である。
【図１５】本発明の実施例による変復調集積素子の第１構成図である。
【図１６】本発明の実施例による変復調集積素子の第２構成図である。
【図１７】本発明の実施例による変復調集積素子の第３構成図である。
【図１８】本発明の実施例による変復調集積素子の第４構成図である。
【図１９】本発明の実施例による変復調集積素子の概略斜視図である。
【発明を実施するための形態】
【００３６】
以下、添付図面に基づいて本発明の実施例を詳細に説明する。まず、図面において同一構成要素または部品はできるだけ同一参照符号で示していることに留意しなければならない。本発明の説明において関連の公知機能あるいは構成についての具体的な説明は本発明の要旨をあいまいにしないようにするために省略する。
【００３７】
図２は本発明の第１実施例による復調装置の第１構成図である。
【００３８】
図２を参照すれば、本発明の第１実施例による復調装置は、変調信号を受信して発振信号を出力するスピン素子１００、スピン素子１００に所定の位相同調特性を付与する位相制御部２００、及びスピン素子１００から出力される発振信号を復調する検波器３００を含む。
【００３９】
前記位相制御部２００は、前記発振信号が前記スピン素子１００に入力される変調信号に同調するようにすることができる。
【００４０】
スピン素子１００は、位相制御部２００によって所定の位相同調特性が付与される場合、変調信号の周波数と同調した位相同調信号を発振信号として出力することができる。具体的に、前記スピン素子１００はスピントルク発振器（ｓｐｉｎ ｔｏｒｑｕｅ ｏｓｃｉｌｌａｔｏｒ、以下、ＳＴＯと言う）からなることができる。ＳＴＯ１００は、位相制御部２００によって付与される所定の位相同調特性によって、入力される変調信号に同調する発振信号を出力することができる。すなわち、ＳＴＯは、基本波（ｆｕｎｄａｍｅｎｔａｌ ｆｒｅｑｕｅｎｃｙ）と、２次、３次、４次などのハーモニック信号を出力することができる。
【００４１】
ここで、ＳＴＯは、ナノピラー型ＳＴＯ、ナノコンタクト型ＳＴＯ、磁区壁型ＳＴＯ、ボルテックス型ＳＴＯなどからなることができる。
【００４２】
位相同調特性は、変調信号としてＳＴＯ１００の基本波または２次ハーモニック周波数のような周波数をＳＴＯに入力すれば、ＳＴＯ１００から出力される基本波（ｆｕｎｄａｍｅｎｔａｌ ｆｒｅｑｕｅｎｃｙ）が入力された周波数と同調しながら出力として現れる特性を意味する。
【００４３】
ＳＴＯ１００は、位相同調の際、周波数遷移及び振幅上昇という機能を持っているので、ＳＴＯ発振周波数の特性である低出力レベル及び良くない位相雑音特性を改善することができ、ＳＴＯから発進する周波数を所要の高出力、低位相雑音周波数に固定することができる。したがって、従来の無線通信装置に使用されたＶＣＯ、ＰＬＬ周波数固定回路、ＲＦスイッチ、ミキサー及び帯域フィルターの機能を取り替えることができる。
【００４４】
すなわち、一般的な受信機においては搬送波を検波し易い周波数に低めるミキサーが使用される。ＳＴＯは、搬送波ｎｆ０（ここで、ｎは２以上の整数）が通過しながら高出力のｆ０周波数に相当する信号を出力してダウン変換（ｄｏｗｎ ｃｏｎｖｅｒｓｉｏｎ）を遂行するので、前記ミキサーの機能を取り替えることができる効果がある。
【００４５】
ここで、ｆ０は復調器に入力される搬送波の周波数で、復調、つまり再生または回復しなければならない情報を持っている周波数である。
【００４６】
前記スピン素子１００は、例えば周波数がｆ０である変調信号を受信する場合、前記変調信号を２次ハーモニック信号と認識し、周波数がｆ０／２である位相同調信号を出力することができる。
【００４７】
具体的に、空中波によって伝達されるｆ０信号を位相同調特性の付与されたＳＴＯに入力する場合、前記ＳＴＯは前記ｆ０信号を２次ハーモニック信号と認識してｆ０／２信号を基本信号で位相同調させることができる。このような結果として空中波によって得られるｆ０周波数の半分であるｆ０／２信号をＳＴＯ信号から得ることができる。ここで、空中波によって伝達されたｆ０周波数信号が振幅位相変調（ａｍｐｌｉｔｕｄｅ ｓｈｉｆｔ ｋｅｙｉｎｇ、以下、ＡＳＫと言う）された信号であれば前記ＳＴＯの位相同調過程によってＡＳＫ変調されたｆ０／２信号が得られる。
【００４８】
前記のようなスピン素子１００の特性を用いて高調波の流入有無を判別することができる。
【００４９】
例えば、基本信号としてＡｓｉｎ２πｆ０ｔ信号を出力する前記ＳＴＯが空中波によって伝達される変調信号の入力によって（Ａ×Ｃ）ｓｉｎ２πｆ０ｔ信号を出力する場合、ｆ０周波数で高い振幅（Ａ×Ｃ）を持つので、前記ＳＴＯに入力される変調信号はハーモニック信号に相当するマイクロ波、例えばＢｓｉｎ２πｍｆ０ｔ（ここで、ｍは基本波ｆ０の実数倍数）またはＢｓｉｎ２πｎｆ０ｔ（ここで、ｎは基本波ｆ０の２以上の整数倍数）が流入したことを判別することができる。
【００５０】
前記検波器３００は、前記スピン素子１００から出力される前記変調信号に同調した発振信号を復調して前記発振信号が持つ情報を復元することができる。
【００５１】
具体的に、前記検波器３００はダイオードの半波整流回路を用いた包絡線検波器からなることができる。ここで、前記検波器３００は、前記スピン素子１００から出力される発振信号の振幅を監視することにより、前記スピン素子１００に変調信号としてハーモニック信号が流入したか否かを判別することができる。
【００５２】
すなわち、前記検波器３００は、ＳＴＯが変調信号の入力によって出力する（Ａ×Ｃ）ｓｉｎ２πｆ０ｔ信号の振幅（Ａ×Ｃ）を監視することにより、前記変調信号によってハーモニック信号に相応するＢｓｉｎ２πｍｆ０ｔ（ここで、ｍは基本波ｆ０の実数倍数）またはＢｓｉｎ２πｍｆ０ｔ（ここで、ｎは基本波ｆ０の２以上の整数倍数）の流入有無を判別することができる。
【発明の実施のための形態】
【００５３】
以下、添付図面に基づいて本発明の実施例を詳細に。まず、図面において同一構成要素または部品はできるだけ同一参照符号で示していることに留意しなければならない。本発明の説明において関連の公知機能あるいは構成についての具体的な説明は本発明の要旨をあいまいにしないようにするために省略する。
【００５４】
図２〜図８は本発明の第１実施例による復調装置の多様な構成例を示した図である。
【００５５】
図２を参照すれば、本発明の第１実施例による復調装置は、変調信号を受信して発振信号を出力するスピン素子１００、スピン素子１００に所定の位相同調特性を付与する位相制御部２００、及びスピン素子１００から出力される発振信号を復調する検波器３００を含む。
【００５６】
前記位相制御部２００は、前記発振信号が前記スピン素子１００に入力される変調信号に同調するようにすることができる。
【００５７】
スピン素子１００は、位相制御部２００によって所定の位相同調特性が付与される場合、変調信号の周波数と同調した位相同調信号を発振信号として出力することができる。具体的に、前記スピン素子１００はスピントルク発振器（ｓｐｉｎ ｔｏｒｑｕｅ ｏｓｃｉｌｌａｔｏｒ、以下、ＳＴＯと言う）からなることができる。ＳＴＯ１００は、位相制御部２００によって付与される所定の位相同調特性によって、入力される変調信号に同調する発振信号を出力することができる。すなわち、ＳＴＯは、基本波（ｆｕｎｄａｍｅｎｔａｌ ｆｒｅｑｕｅｎｃｙ）と、２次、３次、４次などのハーモニック信号を出力することができる。
【００５８】
ここで、ＳＴＯは、ナノピラー型ＳＴＯ、ナノコンタクト型ＳＴＯ、磁区壁型ＳＴＯ、Ｖｏｒｔｅｘ型ＳＴＯなどからなることができる。
【００５９】
位相同調特性は、変調信号としてＳＴＯ１００の基本波または２次ハーモニック周波数のような周波数をＳＴＯに入力すれば、ＳＴＯ１００から出力される基本波（ｆｕｎｄａｍｅｎｔａｌ ｆｒｅｑｕｅｎｃｙ）が入力された周波数と同調しながら出力として現れる特性を意味する。
【００６０】
ＳＴＯ１００は、位相同調の際、周波数遷移及び振幅上昇という機能を持っているので、ＳＴＯ発振周波数の特性である低出力レベル及び良くない位相雑音特性を改善することができ、ＳＴＯから発振する周波数を所要の高出力、低位相雑音周波数に固定することができる。したがって、従来の無線通信装置に使用されたＶＣＯ、ＰＬＬ周波数固定回路、ＲＦスイッチ、ミキサー及び帯域フィルターの機能を取り替えることができる。
【００６１】
すなわち、一般的な受信機においては搬送波を検波し易い周波数に低めるミキサーが使用される。ＳＴＯは、搬送波ｎｆ０（ここで、ｎは２以上の整数）が通過しながら高出力のｆ０周波数に相当する信号を出力してダウン変換（ｄｏｗｎｃｏｎｖｅｒｓｉｏｎ）を遂行するので、前記ミキサーの機能を取り替えることができる効果がある。
【００６２】
ここで、ｆ０は復調器に入力される搬送波の周波数で、復調、つまり再生または回復しなければならない情報を持っている周波数である。
【００６３】
前記スピン素子１００は、例えば周波数がｆ０である変調信号を受信する場合、前記変調信号を２次ハーモニック信号と認識し、周波数がｆ０／２である位相同調信号を出力することができる。
【００６４】
具体的に、空中波によって伝達されるｆ０信号を位相同調特性が付与されたＳＴＯに入力する場合、前記ＳＴＯは、前記ｆ０信号を２次ハーモニック信号と認識してｆ０／２信号を基本信号でに相同調させることができ、このような結果として空中波によって得られるｆ０周波数の半分であるｆ０／２信号をＳＴＯ信号から得ることができる。ここで、空中波によって伝達されたｆ０周波数信号が振幅位相変調（ａｍｐｌｉｔｕｄｅ ｓｈｉｆｔ ｋｅｙｉｎｇ、以下、ＡＳＫと言う）された信号であれば、前記ＳＴＯの位相同調過程によってＡＳＫ変調されたｆ０／２信号が得られる。
【００６５】
前記のようなスピン素子１００の特性を用いて高調波の流入有無を判別することができる。
【００６６】
例えば、基本信号としてＡｓｉｎ２πｆ０ｔ信号を出力する前記ＳＴＯが空中波によって伝達される変調信号の入力によって（Ａ×Ｃ）ｓｉｎ２πｆ０ｔ信号を出力する場合、ｆ０周波数で高い振幅（Ａ×Ｃ）を持つので、前記ＳＴＯに入力される変調信号はハーモニック信号に相当するマイクロ波、例えばＢｓｉｎ２πｍｆ０ｔ（ここで、ｍは基本波ｆ０の実数倍数）またはＢｓｉｎ２πｎｆ０ｔ（ここで、ｎは基本波ｆ０の２以上の整数倍数）が流入したことを判別することができる。
【００６７】
前記検波器３００は、前記スピン素子１００から出力される前記変調信号に同調した発振信号を復調して前記発振信号が持つ情報を復元することができる。
【００６８】
具体的に、前記検波器３００はダイオードの半波整流回路を用いた包絡線検波器からなることができる。ここで、前記検波器３００は、前記スピン素子１００から出力される発振信号の振幅を監視することにより、前記スピン素子１００に変調信号としてハーモニック信号が流入したか否かを判別することができる。
【００６９】
すなわち、前記検波器３００は、ＳＴＯが変調信号の入力によって出力する（Ａ×Ｃ）ｓｉｎ２πｆ０ｔ信号の振幅（Ａ×Ｃ）を監視することにより、前記変調信号によってハーモニック信号に相応するＢｓｉｎ２πｍｆ０ｔ（ここで、ｍは基本波ｆ０の実数倍数）またはＢｓｉｎ２πｍｆ０ｔ（ここで、ｎは基本波ｆ０の２以上の整数倍数）の流入有無を判別することができる。
【００７０】
図３を参照すれば、前記位相制御部２００は、前記スピン素子１００に所定の位相同調特性を付与する電流発生部２１０を含むことができる。
【００７１】
前記電流発生部２１０は、前記スピン素子１００に所定の電流を印加して前記スピン素子１００が前記位相同調信号を出力するように前記スピン素子１００に位相同調特性を付与することができる。ここで、前記電流発生部２１０は静電流回路からなるとか静電圧回路からなることにより前記スピン素子１００に所定の電流を印加することができる。
【００７２】
図４を参照すれば、前記位相制御部２００は、前記スピン素子１００に所定の位相同調特性を付与する磁場発生部２２０をさらに含むことができる。
【００７３】
前記磁場発生部２２０は前記スピン素子１００に所定の磁場を印加して前記電流発生部２１０とともに前記スピン素子１００に位相同調特性を付与することができる。前記磁場発生部２２０は前記ＳＴＯの特性を変化させることができる有効な磁場を発生させることによって前記位相同調信号の周波数を制御することができる。
【００７４】
ここで、前記磁場発生部２２０が例えばハードディスクメディアの場合、本発明は図示しなかったが、基準周波数ｆ０を出力する基準発振器をさらに含むことができる。前記スピン素子１００は前記ハードディスクメディアの磁気パターンを感知するハードディスクヘッドで、ｆ０／２信号の振幅または周波数変化によって前記ハードディスクメディアの磁気パターン情報を判読することができる。
【００７５】
図５を参照すれば、本発明の第１実施例による復調装置は、磁場発生部２２０から印加された磁場を感知して前記位相同調信号の周波数変化を制御する磁場感知部４００をさらに含むことができる。スピン素子１００から出力される位相同調信号の周波数は印加された電流及び磁場の強度によって制御される。前記磁場感知部４００が磁場発生部２２０から印加された磁場の外に外部からさらに印加された磁場を感知した場合、前記電流発生部２１０から印加される電流の強度を以前より低く調節することによって前記位相同調信号の周波数変化を制御することができる。
【００７６】
ここで、前記磁場感知部４００は、前記スピン素子１００に印加される磁場の強度を測定するために、ホールセンサー（Ｈａｌｌ ｓｅｎｓｏｒ）、磁気抵抗センサー（ＧＭＲ ｓｅｎｓｏｒ、ＴＭＲ ｓｅｎｓｏｒ）などからなることができる。
【００７７】
一方、前記スピン素子１００は、前記スピン素子１００で感知される温度と前記スピン素子１００に印加される電流の強度が一定する場合、磁場の強度が高くなることによってスピンの歳差速度である周波数がますます大きくなるので、前記スピン素子１００から発生する周波数を感知する場合、前記磁場発生部２２０から印加された磁場を感知することができる。よって、前記磁場感知部４００は本発明で省略可能な構成である。
【００７８】
図６を参照すれば、本発明の第１実施例による復調装置は、前記スピン素子１００の温度を感知し、感知温度による特性変化を補正する温度補償部５００をさらに含むことができる。具体的に、温度補償部５００は温度の関数による補正方法で前記スピン素子１００の温度特性変化を補正することができる。
【００７９】
前記スピン素子１００から出力される位相同調信号の振幅（ａ）は温度上昇によって増加する。前記スピン素子１００で感知された温度が基準温度より高い場合、振幅を減少させる補正定数（ｂ＜１）を振幅に掛け、感知された温度が基準温度より低い場合、振幅を増加させる補正定数（ｂ＞１）を振幅に掛けることで、位相同調信号の振幅を一定に維持させることによって感知温度による特性変化を補正することができる。このために、前記温度補償部５００は、前記スピン素子１００の温度を感知する温度センサーと、前記スピン素子１００の温度による特性変化を補正する温度補償回路とからなることができる。
【００８０】
一方、前記温度補償部５００に含まれた温度センサーは省略可能である。すなわち、前記スピン素子１００の抵抗は温度の逆数に比例するので、これを用いてスピン素子１００の温度を測定することができる。例えば、前記スピン素子１００に電圧を印加して電流を測定するとかあるいは前記スピン素子１００に電流を印加して電圧を測定した場合、オームの法則によって前記スピン素子１００の抵抗を計算することができるので、前記抵抗を用いて前記スピン素子１００の温度を測定することができる。この場合、前記温度補償部５００の構造を単純化することができ、製造工程を減らすことができる。
【００８１】
図７を参照すれば、本発明の第１実施例による復調装置は変調信号を受信するアンテナ６００及び変調信号を増幅させる第１増幅器７００をさらに含むことができる。
【００８２】
前記アンテナ６００は空中波によって伝達された変調信号を受信することができる。ここで、前記変調信号は振幅位相変調されて送信される信号であることができる。このように、本発明は、前記スピン素子１００に注入されるマイクロ波の源泉が前記アンテナ６００から得られる。
【００８３】
前記第１増幅器７００は前記アンテナ６００と前記スピン素子１００との間に設置される低雑音増幅器６００からなることができる。
【００８４】
一般に、前記アンテナ６００を介して受信される変調信号はその強度が低いので、前記第１増幅器は前記変調信号を増幅させる作用をする。
【００８５】
図８を参照すれば、本発明の第１実施例による復調装置は発振信号を増幅させる第２増幅器８００をさらに含むことができる。
【００８６】
前記第２増幅器８００は前記スピン素子１００の後端に設置される可変増幅器からなることができる。第２増幅器８００は、前記発振信号の振幅が前記検波器３００の検波可能な感度以下に小さい場合、前記発振信号を増幅させる作用をする。
【００８７】
本発明において、前記第１増幅器７００及び第２増幅器８００は遠距離無線通信のために備えられることができる。
【００８８】
一方、近距離無線通信においては、前記アンテナ６００を介して受信される変調信号の強度が高く、前記スピン素子１００から出力される発振信号の振幅が前記検波器３００の検波可能な感度以上であることができる。この場合、前記第１増幅器７００及び第２増幅器８００は本発明の構成から省略できる。
【００８９】
前述したように、本発明の第１実施例による復調装置によれば、アンテナ６００が空気中に伝達されたＡＳＫ変調信号を受信し、必要によって第１増幅器７００によって前記変調信号が増幅される。
【００９０】
その後、基準以上のｆ０周波数無線信号電力レベルがＳＴＯに入力され、前記ＳＴＯが前記アンテナ６００から入力されたｆ０周波数を２次ハーモニック信号と認識し、位相同調特性を持つように位相制御部２００によって電流及び磁場が前記ＳＴＯにセットされる。
【００９１】
その結果、前記ＳＴＯは、前記アンテナ６００を介して受けたｆ０周波数に同調してｆ０／２周波数に固定された信号を出力することになる。
【００９２】
このように、半分に分配された固定された周波数信号は必要によって第２増幅器８００に入力されて増幅され、最終に検波器３００によって無線信号が持つ情報を獲得することができることになる。
【００９３】
図９〜図１１は本発明の第２実施例による復調装置の多様な構成例を示した図である。
【００９４】
図９を参照すれば、本発明の第２実施例による復調装置は、複数のスピン素子１００、複数位相制御部２００、及び複数の検波器３００を含む。前記複数のスピン素子１００は、位相制御部２００によって付与される位相同調特性によって、入力される変調信号の中で特定の周波数に同調した位相同調信号をそれぞれ出力することができる。例えば、前記スピン素子１００はｆ１、ｆ２の二つの周波数にＦＳＫ変調された信号を受信する場合、前記変調信号を２次ハーモニック信号と認識し、周波数がｆ１／２、ｆ２／２である位相同調信号を出力することができる。
【００９５】
図９はスピン素子１００が二つのＳＴＯ（ＳＴＯ１、ＳＴＯ２）からなり、位相制御部２００も二つの位相制御部（位相制御部１、位相制御部２）からなるものを例として示したものである。空中波によって伝達されるｆ１信号を位相同調特性が付与されたＳＴＯ１に入力し、かつ空中波によって伝達されるｆ２信号を位相同調特性が付与されたＳＴＯ２に入力する場合、それぞれの二つの経路において前記ＳＴＯ１はｆ１／２を出力し、前記ＳＴＯ２はｆ２／２を出力することで、半分に分配された固定された周波数信号を得ることができる。
【００９６】
すなわち、位相制御部１によってＳＴＯ１がｆ１信号に位相同調するようにすれば前、記ｆ１信号にだけ前記ＳＴＯ１が反応してＳＴＯ１の出力信号としてｆ１／２を出力し、同じ原理で位相制御部２によってＳＴＯ２がｆ２信号に位相同調するようにすれば、前記ｆ２信号にだけ前記ＳＴＯ２が反応してＳＴＯ２の出力信号としてｆ１／２を出力することができる。
【００９７】
一方、ここでは二つの周波数に変調された空中波信号、つまり１−ｌｅｖｅｌ ＦＳＫ変調された信号を復調するために二つのＳＴＯをアレイ化して使用する方法について説明したが、これは一例に過ぎないもので、多様な変形例が可能である。すなわち、ｍ−ｌｅｖｅｌ指数を持つＦＳＫ変調の場合には、２ｍ個またはそれ以上のＳＴＯをアレイ化してｍ−ｌｅｖｅｌ復調装置を具現することができる。このような特性を拡張してＳＴＯアレイ基盤の周波数ホッピング（ｆｒｅｑｕｅｎｃｙ ｈｏｐｐｉｎｇ）システムに適した復調装置の設計も可能である。
【００９８】
前記位相制御部２００は前記スピン素子１００にそれぞれ対応する。前記位相制御部２００は、それぞれ前記スピン素子１００に所定の位相同調特性を付与し、前記発振信号が前記スピン素子１００のそれぞれに入力される変調信号に同調するようにすることができる。
【００９９】
前記複数の検波器３００は前記スピン素子１００のそれぞれに対応するように備えられ、スピン素子１００から出力される位相同調信号を復調し、前記位相同調信号が持つ情報を復元することができる。ここで、それぞれの前記検波器３００は、本発明の第１実施例による復調装置に含まれた検波器と同様にダイオードの半波整流回路を用いた包絡線検波器からなることができ、前記スピン素子１００から出力される発振信号の振幅を監視することにより、前記スピン素子１００に変調信号としてハーモニック信号が流入したか否かを判別することができる。
【０１００】
図１０を参照すれば、本発明の第２実施例による復調装置は、アンテナ６００、前記変調信号を増幅させる複数の第１増幅器７００、及び前記発振信号を増幅させる第２増幅器８００をさらに含むことができる。
【０１０１】
前記アンテナ６００は空中波によって伝達されたそれぞれの変調信号を受信することができる。ここで、前記変調信号は周波数位相変調（ｆｒｅｑｕｅｎｃｙ ｓｈｉｆｔ ｋｅｙｉｎｇ、以下、ＦＳＫと言う）されて送信される信号であることができる。
【０１０２】
前記第１増幅器７００は前記アンテナ６００と前記スピン素子１００のそれぞれとの間に設置される低雑音増幅器６００からなることにより、前記変調信号をそれぞれ増幅させることができる。
【０１０３】
前記第２増幅器８００は複数の前記スピン素子１００の後端にそれぞれ設置され、位相同調信号を増幅させる複数の可変増幅器６００からなることができる。
【０１０４】
図１１を参照すれば、前記複数の位相制御部２００のそれぞれは前記スピン素子１００に所定の位相同調特性を付与する電流発生部２１０及び磁場発生部２２０をそれぞれ含むことができる。
【０１０５】
具体的に、前記位相制御部２００はそれぞれ前記スピン素子１００が特定の周波数の変調信号のみ受け、前記変調信号の特定の周波数と同調した位相同調信号をそれぞれ出力することができるように対応するスピン素子１００に電流及び磁場を印加することができる。
【０１０６】
図１１を参照すれば、電流発生部１は前記ＳＴＯ１がｆ１信号に位相同調するように特定電流である電流１を印加することができ、電流発生部２は前記ＳＴＯ２がｆ２信号に位相同調するように特定電流である電流２を印加することができる。
【０１０７】
また、磁場発生部１は前記ＳＴＯ１がｆ１信号に位相同調するように有効な磁場である磁場１を印加することができ、磁場発生部２は前記ＳＴＯ２がｆ２信号に位相同調するように有効な磁場である磁場２を印加することができる。
【０１０８】
このように、位相制御部１は電流１及び磁場１によってＳＴＯ１をｆ１信号に位相同調するようにすることができ、同じ原理で位相制御部２は電流２及び磁場２によってＳＴＯ２をｆ２信号に位相同調するようにすることができる。
【０１０９】
また、本発明の第２実施例による復調装置は、図１１に示したように、前記磁場発生部２２０のそれぞれから印加された磁場を感知する複数の磁場感知部４００、及び複数の前記スピン素子１００の温度を感知し、感知温度による特性変化を補正する温度補償部５００をさらに含むことができる。ここで、前記磁場感知部４００及び温度補償部５００は本発明の第１実施例による復調装置に含まれた磁場感知部及び温度補償部とその構成及び機能が実質的に同様であるのでその詳細な説明は省略する。
【０１１０】
前述したように、本発明の第２実施例による復調装置によれば、アンテナ６００を介して受信したＦＳＫ変調されたｆ１、ｆ２の空中波信号が対応する第１増幅器７００によって十分なレベルにそれぞれ増幅される。
【０１１１】
その後、ＳＴＯ１には増幅されたｆ１信号が、ＳＴＯ２には増幅されたｆ２信号がそれぞれ入力され、前記ＳＴＯ１、ＳＴＯ２が前記アンテナ６００から入力されたｆ１、ｆ２周波数を２次ハーモニック信号と認識し、位相同調特性を持つように前記ＳＴＯ１、ＳＴＯ２にそれぞれ対応する位相制御部２００によって特定電流及び有効な磁場が前記ＳＴＯ１、ＳＴＯ２にそれぞれセットされる。この際、前記ＳＴＯ１には電流１及び磁場１が、前記ＳＴＯ２には電流２及び磁場２がそれぞれセットされる。
【０１１２】
その結果、前記ＳＴＯ１は前記アンテナ６００を介して受けたｆ１周波数に同調してｆ１／２周波数に固定された信号を出力することになり、前記ＳＴＯ２はｆ２周波数に同調してｆ２／２周波数に固定された信号を出力することになる。
【０１１３】
このように、半分に分配された固定された周波数信号は必要によって第２増幅器８００に入力されて増幅され、最終に検波器３００によって無線信号が持つ情報を獲得することができることになる。
【０１１４】
以下、図１２〜図１４に基づいて本発明の実施例による復調集積素子を詳細に説明する。
【０１１５】
本発明の実施例による復調集積素子は前述した本発明の第１実施例及び第２実施例による復調装置を一つの単位集積回路（ＩＣ）チップ（ｃｈｉｐ）に製作したもので、前記復調集積素子をスピントロニック復調器（ｓｐｉｎｔｒｏｎｉｃ ｄｅｍｏｄｕｌａｔｏｒ）と呼ぶことができる。
【０１１６】
図１２は本発明の実施例による復調集積素子を示した構成図である。図１２を参照すれば、復調集積素子は、基板９１０、及び前記基板９１０上に集積して形成される復調装置を含むことができる。基板９１０上には復調装置に電源を印加するための電極９２０が設けられている。
【０１１７】
復調装置は図２〜図１１を参照して説明した本発明の第１及び第２実施例による復調装置からなることができる。
【０１１８】
図１２を参照すれば、本実施例による復調集積素子の復調装置は、複数のスピン素子１００、スピン素子１００のそれぞれに対して位相同調特性を付与する位相制御部２００、及び複数のスピン素子１００のそれぞれから出力される変調信号を検出する検波器３００を含むことができる。また、復調装置は、前記スピン素子１００のそれぞれの温度を感知し、感知温度による特性変化を補正する温度補償部５００をさらに含むことができる。
【０１１９】
前記スピン素子１００は前記電極９２０から電源を受けて駆動して発振信号を出力することができる。ここで、前記スピン素子１００は基板９１０に組み込まれるエンベッディド（ｅｍｂｅｄｄｅｄ）ＳＴＯからなることができ、後述する電流分配部９３０とカレントワイヤ（ｃｕｒｒｅｎｔｗｉｒｅ）９４０を介して連結できる。
【０１２０】
本実施例による復調集積素子において、復調装置を構成するスピン素子１００、位相制御部２００、検波器３００、及び温度補償部５００のそれぞれは本発明の第１及び第２実施例による復調装置の同一部材名を使う構成要素と構成が実質的に同様であるのでその詳細な説明は省略する。
【０１２１】
図１３を参照すれば、位相制御部は、前記電極９２０と複数の前記スピン素子１００との間に設置され、複数のスピン素子のそれぞれに印加される電流を発生する電流発生部２１０を含むことができる。ここで、前記電流発生部２１０は前記スピン素子１００のそれぞれに所定の位相同調特性を付与する電流を発生してそれぞれのスピン素子１００に分配することができる。
【０１２２】
また、前記位相制御部は、前記スピン素子１００上にそれぞれ設置される複数の磁場発生部２２０をさらに含むことができる。磁場発生部２２０はスピン素子１００のそれぞれに所定の磁場を印加することにより、前記スピン素子１００に位相同調特性を付与する。この磁場発生部２２０は、図１４に示したように、パターニング工程によって、基板９１０上に集積される２次元の平板コイルからなることができる。
【０１２３】
また、本発明の実施例による復調集積素子は、図１３に示したように、前記電極９２０と複数の前記磁場発生部２２０との間に設置される電流分配部９３０を含むことができる。前記電流分配部９３０は前記磁場発生部２２０のそれぞれから磁場を発生させるように電流を分配して供給することができる。
【０１２４】
一方、本発明による復調集積素子は、図示しなかったが、本発明による復調装置と同様に前記磁場発生部２２０から印加された磁場を感知する磁場感知部、復調信号を増幅する第１増幅器、及び第２増幅器をさらに含むことができる。
【０１２５】
以下、図１５〜図１９に基づいて本発明の実施例による変復調集積素子を詳細に説明する。
【０１２６】
本発明の実施例による変復調集積素子は、前述した本発明の実施例による復調集積素子に変調部を付け加えて一つの単位集積回路（ＩＣ）チップ（ｃｈｉｐ）に製作したもので、前記変復調集積素子をスピントロニック単一チップ変復調器（ｓｐｉｎｔｒｏｎｉｃ ｏｎｅｃｈｉｐ ＭＯＤＥＭ）と呼ぶことができる。
【０１２７】
前記変復調集積素子は復調部と既存の送信機（ｔｒａｎｓｍｉｔｔｅｒ）または変調器（ｍｏｄｕｌａｔｏｒ）用スピントルク型発振素子を一緒に集積して極小型のＩＣに製作したもので、多様な形式の変調部を一緒に集積して小型化をはかることができる。
【０１２８】
図１６を参照すれば、本発明の実施例による変復調集積素子は、基板９１０、基板９１０上に集積されて変調信号を送信する変調部７０、及び基板９１０上に集積され、受信された変調信号を復調する復調部８０を含む。
【０１２９】
前記復調部８０は、基板９１０に組み込まれる複数のエンベッディド（ｅｍｂｅｄｄｅｄ）ＳＴＯからなる複数のスピン素子１００、スピン素子１００のそれぞれに位相同調特性を付与する位相制御部２００、及びスピン素子１００のそれぞれから出力される前記変調信号に同調した発振信号を復調する検波器３００を含む。
【０１３０】
また、前記位相制御部２００は、図１９に示したように、電流をそれぞれのスピン素子１００に分配して前記スピン素子１００に位相同調特性を付与する電流発生部２１０、及び平板コイルからなり、前記スピン素子１００に所定の磁場を印加して前記スピン素子１００に位相同調特性を付与する磁場発生部２２０を含むことができる。また、前記復調部８０は、前記スピン素子１００のそれぞれの温度を感知し、感知温度による特性変化を補正する温度補償部５００をさらに含むことができる。
【０１３１】
本実施例による変復調集積素子において、復調装置を構成するスピン素子１００、位相制御部２００、検波器３００、及び温度補償部５００のそれぞれは本発明の第１及び第２実施例による復調装置の同一部材名を使う構成要素と構成が実質的に同様であるのでその詳細な説明は省略する。
【０１３２】
また、図１６を参照すれば、本発明の実施例による変復調集積素子は、変調部７０及び復調部８０に電源を分配する電源分配部９５０をさらに含むことができる。電源分配部９５０は、前記変調部７０と前記復調部８０の消耗電力の差が大きい場合、前記変調部７０と前記復調部８０の駆動が円滑になるように電源を分配して供給する作用をする。
【０１３３】
また、図１７を参照すれば、本発明の実施例による変復調集積素子は、前記電源分配部９５０の出力チャネルを制御する電源制御部９６０をさらに含むことができる。前記電源制御部９６０は前記電源分配部９５０の出力チャネルを制御して前記変調部７０または前記復調部８０の電源をオン／オフ（Ｏｎ／Ｏｆｆ）させることができる。
【０１３４】
すなわち、前記電源分配部９５０は、前記変調部７０と前記復調部８０の電源使用量が互いに異なることができるので、前記変調部７０と前記復調部８０に適切な電源を生成して前記電源制御部９６０に供給し、前記電源制御部９６０は電源供給可否を決定して前記変調部７０と前記復調部８０に電源を供給することができる。このように、前記変調部７０または前記復調部８０の駆動が前記電源制御部９６０によって制御されることにより、本発明による復調集積素子を発信専用、受信専用または発信及び受信兼用（ｂｏｔｈ ｕｓｅ）に運営することができる。
【０１３５】
また、図１８を参照すれば、本発明の実施例による変復調集積素子は、前記変調部７０または前記復調部８０の中で少なくとも一方に備えられる遮蔽膜９７０をさらに含むことができる。このように遮蔽膜９７０を備えることにより、前記変調部７０から発生する電波、または周辺温度や周辺磁気によって発生する前記復調部８０に流れる電気信号の特性変化を防止することができる。
【０１３６】
前記遮蔽膜９７０はその素材として透磁率の高い強磁性体（ｆｅｒｒｏｍａｇｎｅｔｉｃ ｍａｔｅｒｉａｌ）からなる場合、磁気遮蔽の作用をすることができる。例えば、前記復調部８０に密着して設置される場合、前記遮蔽膜９７０は放熱作用して、前記復調部８０の特性が温度上昇によって変化することを防止することができる。
【０１３７】
以上のように、本発明による復調装置、これを用いた復調集積素子及び変復調集積素子を例示した例示図面に基づいて説明したが、この明細書に開示された実施例及び図面によって本発明が限定されるものではなく、本発明の技術思想範囲内で当業者によって多様な変形が可能であるのはいうまでもない。
【産業上の利用可能性】
【０１３８】
本発明によれば、スピン素子の位相同調特性を用いて振幅位相変調信号または周波数位相変調信号を復調することができるので、無線通信の分野に一層効果的に活用できる。
【符号の説明】
【０１３９】
１０    ＲＦスイッチ
２０    ミキサー
３０    帯域フィルター
４０    ＶＣＯ
５０    ＰＬＬ
６０    復調集積素子
７０    変調部
８０    復調部
９０    変復調集積素子
１００    スピン素子
２００    位相制御部
２１０    電流発生部
２２０    磁場発生部
３００    検波器
４００    磁場感知部
５００    温度補償部
６００    アンテナ
７００    第１増幅器
８００    第２増幅器
９１０    基板
９２０    電極
９３０    電流分配部
９４０    カレントワイヤ
９５０    電源分配部
９６０    電源制御部
９７０    遮蔽膜
【図１】
0005894703.tif 000002
【図２】
0005894703.tif 000003
【図３】
0005894703.tif 000004
【図４】
0005894703.tif 000005
【図５】
0005894703.tif 000006
【図６】
0005894703.tif 000007
【図７】
0005894703.tif 000008
【図８】
0005894703.tif 000009
【図９】
0005894703.tif 000010
【図１０】
0005894703.tif 000011
【図１１】
0005894703.tif 000012
【図１２】
0005894703.tif 000013
【図１３】
0005894703.tif 000014
【図１４】
0005894703.tif 000015
【図１５】
0005894703.tif 000016
【図１６】
0005894703.tif 000017
【図１７】
0005894703.tif 000018
【図１８】
0005894703.tif 000019
【図１９】
0005894703.tif 000020